(57)【特許請求の範囲】
【請求項１】
エレベータドアの据え付け時の速度調整を行うためのエレベータドア制御装置であって、
エレベータドアを駆動させるための駆動手段と、
上記駆動手段に接続され、駆動時のトルク指令値を検出するためのトルク検出手段と、
参照データが格納されている参照データ記憶手段と、
上記参照データ記憶手段に格納されている上記参照データと上記トルク検出手段により検出された上記トルク指令値とにより、最適なドア速度を演算するための第一の最適ドア速度演算手段と、
上記第一の最適ドア速度演算手段により演算されたドア速度に基づいて、上記駆動手段に速度指令信号を出力するためのドア速度指令手段と
を備え、
上記参照データ記憶手段が、標準重量のエレベータドアを駆動させた場合の速度及びトルクに関するデータを格納し、
上記トルク検出手段が、駆動時のトルク指令値を検出するためのトルク指令値検出部と、上記トルク指令値のうちの最大値を検出するための最大トルク指令値検出部とから構成されて、
上記第一の最適ドア速度演算手段が、上記参照データ記憶手段に格納された標準重量のエレベータドアを駆動させた場合の速度及びトルクに関するデータと上記トルク指令値の最大値とに基づいて、据え付けるエレベータのドア重量に対応させた最適なドア速度を演算する
ことを特徴とするエレベータドア制御装置。
【請求項２】
エレベータドアの据え付け時の速度調整を行うエレベータドア制御装置であって、
エレベータドアを駆動させるための駆動手段と、
上記駆動手段に接続され、駆動時のトルク指令値を検出するためのトルク検出手段と、
参照データが格納されている参照データ記憶手段と、
上記参照データ記憶手段に格納されている上記参照データと上記トルク検出手段により検出された上記トルク指令値とにより、最適なドア速度を演算するための第一の最適ドア速度演算手段と、
上記第一の最適ドア速度演算手段により演算されたドア速度に基づいて、上記駆動手段に速度指令信号を出力するためのドア速度指令手段と
を備え、
上記参照データ記憶手段が、標準重量のエレベータドアを駆動させた場合の速度及びトルクに関するデータを格納し、
上記トルク検出手段が、駆動時のトルク指令値を検出するためのトルク指令値検出部と、上記トルク指令値からトルク指令積算値を演算するためのトルク指令積算値演算部とから構成されて、
上記第一の最適ドア速度演算手段が、上記参照データ記憶手段に格納された標準重量のエレベータドアを駆動させた場合の速度及びトルクに関するデータと上記トルク指令積算値とに基づいて、据え付けるエレベータのドア重量に対応させた最適なドア速度を演算する
ことを特徴とするエレベータドア制御装置。
【請求項３】
エレベータドア据え付け時のエレベータドアの速度調整を行う場合には、上記ドア速度指令手段が上記駆動手段に通常動作の場合とは異なる速度指令信号を出力するように、上記ドア速度指令手段にドア速度点検指示信号を出力するためのドア速度点検指示手段をさらに備えたことを特徴とする請求項１または２に記載のエレベータドア制御装置。
【発明の詳細な説明】
【０００１】
【発明の属する技術分野】
この発明はエレベータドア制御装置に関し、特に、エレベータドアの開閉動作において、利用者への安全性を向上させると共に、据え付け時のドア速度調整を容易に行なえるようにするエレベータドア制御装置に関するものである。
【０００２】
【従来の技術】
図１は、この種のエレベータドア制御装置の内部構成を示したブロック図であり、図２〜図４は、戸閉動作波形を示したものである。図１において、１はエレベータ制御盤、２はエレベータ制御盤１から戸閉指令が入力される入出力ポート、３は後述するＣＰＵ４の動作プログラムや数種類の所定のモータ速度指令値等が予め格納されているＲＯＭ、４はエレベータドア制御装置の内部動作の制御を行うＣＰＵ、５はＣＰＵ４により入力されるＰＷＭ指令をゲート信号に変換するＰＷＭユニット、６はＰＷＭユニット５からのゲート信号に基づいて後述するパワー回路７を駆動させるゲート信号発生回路、７はそのパワー回路であり、後述するモータ８を回転させるものである。８はそのモータで、９はモータ８に取り付けられたパルスエンコーダ、１０はパルスエンコーダ９からの出力パルスをカウントするパルスカウントユニット、１１はＣＰＵ４の演算結果や種々のデータ等を格納するためのＲＡＭ、１２は電源、１３はユーザに対する種々の表示を行うための表示器、１４はＲＯＭ３内に格納されていてＣＰＵ４により読み出される速度指令値を切り換えるための速度調整設定ピンである。
【０００３】
次に、図１及び図２〜図４を用いて、従来の戸閉動作の制御について説明する。エレベータ制御盤１より戸閉指令が発生すると入出力ポート２にそれが読み込まれ、この戸閉指令に対応して、図２の１ａにより示すようなモータ速度指令がＲＯＭ３よりＣＰＵ４へ読み込まれる。ここで、モータ速度指令は、モータ８に取付られているパルスエンコーダ９からの出力パルスをパルスカウントユニット１０によりカウントし、そのカウント値がＣＰＵ４に送られ、ＣＰＵ４はそのカウント値よりドアの位置点を演算して、その位置点情報より適当なモータ速度指令値をＲＯＭ３より読み出している。なお、モータ速度指令値は速度調整用設定ピン１４によってもＲＯＭ３より読み出されるモータ速度指令値を切換えられる構成になっている。
【０００４】
ＣＰＵ４は、ＲＯＭ３から読み出したモータ速度指令値と、パルスカウントユニット１０のカウント値により求めた図３の２ａにより示すモータ実速度からの速度偏差とにより、モータ速度指令値に追従させる為に必要とされる図４の３ａで示すようなトルク指令値を求め、このトルク指令値に対応したＰＷＭ指令をＰＷＭユニット５に送り、ＰＷＭユニット５がそれをゲート信号に変換し、このゲート信号を受けたゲート信号発生回路６の指令により、パワー回路７が駆動され、それによりモータ８が回転し、モータ８の回転速度がモータ速度指令値に追従する様に速度制御が行われている。
【０００５】
ここで、上述したような戸閉動作に関し、海外法規（ASME 112.4, あるいは BS 2655 Part1 2.7.2 等）により、戸閉エネルギーが規制されている。戸閉エネルギーは、下記の数式（１）に示すように、ドア重量とドア速度とにより求められる。
【０００６】
「戸閉エネルギー＝｛ドア重量／（２×重力加速度）｝×ドア速度2」・・・（１）
【０００７】
そこで、上記の海外法規の基準値を満足させるためには、ドア重量に対応させ、ドア速度、すなわち、モータ速度を変更する必要がある。しかしながら、エレベーター仕様がビル毎に異なるように、ドアの大きさや材質等も様々であるため、据え付け者がドア仕様よりドア重量を計算により求め、現場にて速度調整を行なっているのが現状である。
【０００８】
戸閉エネルギーに関する補足説明として、ドア速度は平均戸閉速度を示しており、これについても上記の海外法規に明記されている。具体的には、下記の数式（２）により求められる。
【０００９】
「平均戸閉速度＝（全開から全閉までの移動距離）／走行時間」・・・（２）
【００１０】
なお、走行時間については規定があり、例えば、中央両開きドアの場合、全開及び全閉のそれぞれから２５ｍｍを除いた部分を走行するのに要する時間と示されている。これを具体的に説明するために、例として図５を挙げれば、ドア速度が図５の４ａの場合、全開から２５ｍｍの部分は図５のｔ１の区間で、全閉から２５ｍｍの部分は図５のｔ２の区間であり、従って、この場合の走行時間は、区間ｔ１とｔ２の間にはさまれた区間Ｔ１に相当する。
【００１１】
【発明が解決しようとする課題】
上述したように、戸閉動作においては戸閉エネルギーの規制があり、従来技術においては、現場にてドア毎にその重量を認識し、個々にドア速度調整を行なっており、大変手間がかかってしまうという問題点があった。
【００１２】
また、上述したように、ドア重量は据え付け者の計算により求められているため、人為的なミスで誤ったドア重量を算出してしまう可能性があるという問題点があった。
【００１３】
また、速度調整内容についても、平均戸閉速度の規定からもわかるように、全開及び全閉付近のみを調整して戸閉時間を変化させても、戸閉エネルギーに対応した速度調整を行なったことにはならないという問題点があった。
【００１４】
この発明は、かかる問題点を解決するためになされたものであり、戸閉エネルギーに対応したドア速度への変更を容易に、且つ、最適に行なうことができるエレベータドア制御装置を得ることを目的とする。
【００１５】
【課題を解決するための手段】
本発明に係わるエレベータドア制御装置は、エレベータドアの据え付け時の速度調整を行うためのエレベータドア制御装置であって、エレベータドアを駆動させるための駆動手段と、駆動手段に接続され、駆動時のトルク指令値を検出するためのトルク検出手段と、参照データが格納されている参照データ記憶手段と、参照データ記憶手段に格納されている参照データとトルク検出手段により検出されたトルク指令値とにより、最適なドア速度を演算するための第一の最適ドア速度演算手段と、第一の最適ドア速度演算手段により演算されたドア速度に基づいて、駆動手段に速度指令信号を出力するためのドア速度指令手段とを備え、参照データ記憶手段が、標準重量のエレベータドアを駆動させた場合の速度及びトルクに関するデータを格納し、トルク検出手段が、駆動時のトルク指令値を検出するためのトルク指令値検出部と、トルク指令値のうちの最大値を検出するための最大トルク指令値検出部とから構成されて、第一の最適ドア速度演算手段が、参照データ記憶手段に格納された標準重量のエレベータドアを駆動させた場合の速度及びトルクに関するデータとトルク指令値の最大値とに基づいて、据え付けるエレベータのドア重量に対応させた最適なドア速度を演算する。
【００１８】
また、本発明に係わるエレベータドア制御装置は、エレベータドアの据え付け時の速度調整を行うエレベータドア制御装置であって、エレベータドアを駆動させるための駆動手段と、駆動手段に接続され、駆動時のトルク指令値を検出するためのトルク検出手段と、参照データが格納されている参照データ記憶手段と、参照データ記憶手段に格納されている参照データとトルク検出手段により検出されたトルク指令値とにより、最適なドア速度を演算するための第一の最適ドア速度演算手段と、第一の最適ドア速度演算手段により演算されたドア速度に基づいて、駆動手段に速度指令信号を出力するためのドア速度指令手段とを備え、参照データ記憶手段が、標準重量のエレベータドアを駆動させた場合の速度及びトルクに関するデータを格納し、トルク検出手段が、駆動時のトルク指令値を検出するためのトルク指令値検出部と、トルク指令値からトルク指令積算値を演算するためのトルク指令積算値演算部とから構成されて、第一の最適ドア速度演算手段が、参照データ記憶手段に格納された標準重量のエレベータドアを駆動させた場合の速度及びトルクに関するデータとトルク指令積算値とに基づいて、据え付けるエレベータのドア重量に対応させた最適なドア速度を演算する。
【００１９】
また、エレベータドア据え付け時のエレベータドアの速度調整を行う場合には、ドア速度指令手段が駆動手段に通常動作の場合とは異なる速度指令信号を出力するように、ドア速度指令手段にドア速度点検指示信号を出力するためのドア速度点検指示手段をさらに備えている。
【００２１】
【発明の実施の形態】
実施の形態１．
本発明の一実施の形態によるエレベータドア制御装置について、図２〜図４を用いて説明する。また、本実施の形態におけるエレベータドア制御装置の内部構成は図７に示すような構成になっているが、実際に設計する場合の構成図は図１のようになるため、図１も参照することとする。図７において、３０は、後述するドア速度指令手段３５からの速度指令値に基づいてエレベータドアを駆動制御するためのエレベータドア駆動手段であり、図１のパワー回路７及びモータ８から構成されるものである。３１は、エレベータドア駆動手段３０に設けられ、ドア駆動時のトルク指令値（Ｔ）を検出するためのトルク指令値検出手段であり、３２は、駆動中のドアの最大トルク指令値（Ｔmax）を検出するための最大トルク指令値検出手段で、これらは、図１のパルスエンコーダ９及びパルスカウントユニット１０から構成されている。３３は、標準ドア時の速度指令値（Ｖs）と最大トルク指令値（Ｔsmax）とをデータとして記憶しておく標準ドアデータ記憶手段（参照データ記憶手段）であり、図１のＲＡＭ１１から構成されるものである。３４は、最大トルク指令値検出手段３２で検出した最大トルク指令値（Ｔmax）と標準ドアデータ記憶手段３３に記憶されたデータ（Ｖs，Ｔsmax）により、最適ドア速度（Ｖc）を演算する最適ドア速度演算手段であり、図１のＣＰＵ４から構成されている。３５は、最適ドア速度演算手段３４で求めた最適ドア速度（Ｖc）に従って、エレベータドアの駆動速度パターン（Ｖp）を出力するためのドア速度指令手段であり、図１のＣＰＵ４及びＲＯＭ３から構成されるものである。他の構成については図１に示す通りであるため、ここでは図示及び説明を省略する。
【００２２】
次に、動作について説明する。本実施の形態のエレベータドア制御装置は、据え付け段階においては、とりあえず出荷時の設定による所定の標準的な速度指令値により戸開閉動作を行なう。まず、一例として標準的な重量のドアで標準的な戸閉指令値（Ｖs）である図２の１ａにて戸閉動作を行なう場合を説明すれば、トルク指令値検出手段３１を構成しているパルスカウントユニット１０のパルスカウントからモータ実速度を求めると、図３の２ａとなり、トルク指令値は図４の３ａとなる。この場合のトルク指令最大値（Ｔmax）を最大トルク指令値検出手段３２により検出すれば、図４のＡで示す値となる。このトルク指令最大値（Ｔmax）は標準的なドア重量に対応しているものである。これは、事前に図２の１ａにより示される速度指令値（Ｖs）における各ドア重量に対応した最大トルク指令値を調査しておくことで、
「トルク指令最大値が図４のＡ＝標準的なドア重量」
であると認識することは可能となる。ここでは、トルク指令最大値の図４のＡは標準的なドア重量のため、戸閉時間つまり平均戸閉速度の調整を行なわなくても戸閉エネルギーを満足しているため、この場合には調整は不要である。
【００２３】
つぎに、他の例として例えば、ドア重量が重い場合を想定する。据え付け段階においては、所定の標準的な速度指令値の図２の１ａで戸閉動作を行なわせ、モータ実速度とトルク指令値とをトルク指令値検出手段３１により検出すれば、ドア重量が標準より重いため、モータ実速度は図３の２ｂとなり、トルク指令値は図４の３ｂとなったとする。この場合のトルク指令最大値を最大トルク指令値検出手段３２により検出すれば、図４のＢで示す値となり、このトルク指令最大値は、ある重量の重いドアに対応していることがわかる。トルク指令最大値が図４のＡの場合がドア重量が標準的な場合であり、戸閉エネルギーは満足しているとした場合、トルク指令最大値ＢはＡよりその値が大きいため、ドア重量が標準より重いと判断でき、戸閉エネルギーは基準値を満足していないことがわかる。
【００２４】
そこで、このように戸閉エネルギーは基準値を満足していない場合には、本発明のエレベータドア制御装置においては、戸閉エネルギーを求める上述の（１）式を変形させた下記の（１Ａ）式により、図４のＢで示されたトルク指令最大値に対応したドア重量に基づいて最適なドア速度（Ｖc）を求め、また、上述した（２）式の平均戸閉速度（ドア速度）を求める式より前記ドア速度を満足する戸閉時間となるような速度指令値に変更することで戸閉エネルギーを満足させるようにした。
【００２５】
Ｖc ＝ Ｖs × （Ｔsmax／Ｔmax）1/2  ・・・（１Ａ）
【００２６】
なお、上記最適なドア速度とするための速度指令値は、標準ドアデータ記憶手段３３内のデータ（Ｖs，Ｔsmax）に基づいて、最適ドア速度演算手段３４を構成しているＣＰＵ４で上記の（１Ａ）式及び（２）式の演算を行ない、その結果により、ＲＯＭ３内部の速度指令値より最適な速度指令値を選択し、速度指令の変更を行なわせ、その値に基づいて、ドア速度指令手段３５がエレベータドア駆動手段３０に指令信号を出力する。また、ＣＰＵ４の処理機能やＲＯＭ３のメモリ容量が不足している場合は、トルク指令に対応したドア重量相当を表示器１３（図１）に表示させ、それにより、ユーザが人為的に速度調整設定ピン１４を用いて所望の最適な速度指令値に変更するようにしてもよい。他の動作については従来例と同様であるためここではその説明は省略する。
【００２７】
以上のように、本発明によればトルク指令値によりドア重量を認識し、その結果に基づき、戸閉時間を変更することで、平均戸閉速度が調整され、戸閉エネルギーの基準値を満足することが容易に可能となる。また、戸閉時間の変更に当っては、全開及び全閉付近を変更しないため、必要以上に戸閉時間を下げることなく、最適な平均戸閉速度とすることも可能である。その結果、従来、戸閉エネルギー基準を満足させるために行なっていたドア重量の算出、及び、現地での個別の調整が不要となり、据え付け調整時間の省力はさることながら、エレベータ利用者への利便性を確保することができるという効果が得られる。
【００２８】
実施の形態２．
本発明の他の実施の形態について図２〜図４を用いて説明する。本実施の形態は上述の実施の形態１の精度を更に向上させるものである。ドア開閉動作においては、ゴミづまり等による外乱からの影響により、一瞬トルク指令が大きくなることがある。そのため、ドア重量を誤って認識する可能性がある。そこで、本実施の形態においては、ドア重量の認識に用いる情報を単なるトルク指令最大値とするのではなく、トルク指令値の積算値とする。なお、ドア重量の違いによりトルク指令値の変化が著しいのは速度指令の加速中、つまり、力行時であるため、力行トルクの積算値を用いるようにしてもよい。
【００２９】
図８は、この実施の形態におけるエレベータドア制御装置の内部構成を示したものである。図のように、上述した実施の形態１と基本的に同じ構成であるが、この実施の形態においては、実施の形態１の最大トルク指令値検出手段３２の代わりに、トルク指令積算値（Ｔi）を演算するためのトルク指令積算値演算手段４２が設けられている。また、標準ドアデータ記憶手段３３は、この実施の形態においては、標準ドア時の速度指令値（Ｖs）と標準ドアトルク指令積算値（Ｔsi）とをデータとして記憶している。さらに、最適ドア速度演算手段３４においては下記の（１Ｂ）式の演算が行われる。
【００３０】
Ｖc ＝ Ｖs × （Ｔsi／Ｔi）1/2  ・・・（１Ｂ）
【００３１】
次に動作について説明する。標準的なドア重量の場合は、トルク指令値が図４の３ａとなり、トルク指令積算値は、図４の３ａで囲まれた斜線の面積Ｓａとなる。また、ドア重量が重い場合は、トルク指令値が図４の３ｂとなり、そのトルク指令積算値は図４の３ｂで囲まれた斜線の面積Ｓｂとなる。以下、実施の形態１と同様に、トルク指令積算値に対する各ドア重量を事前に調査しておくことで、ドア重量を認識することが可能となり、その結果をもとに最適なドア速度を求め、速度指令値の変更を行なう。
【００３２】
以上のように、この実施の形態によれば、上述の実施の形態１と同様の効果が得られるとともに、さらに、トルク指令の積算結果によりドア重量を判断するようにしたので、ゴミつまり等による瞬時のトルク指令の変化により誤ってドア重量を認識してしまうことを防止でき、精度の安定したドア重量を求めることが可能となる。
【００３３】
実施の形態３．
本発明の他の実施の形態について図２〜図４を用いて説明を行なう。上述した実施の形態１及び実施の形態２においては、通常戸閉における標準的な速度指令の例として図２の１ａで示す速度指令により戸閉動作を行った上で平均戸閉速度を調整するための処理を行なう例について説明した。しかしながら、標準的な速度指令と言うものの、速いものもあれば、遅いものもあり、速度指令値は様々である。そのため、様々な速度指令値についてトルク指令値と各ドア重量の関係を認識する必要があり、事前調査に時間がかかり、容易な対応がとれない場合がある。
【００３４】
そこで、この実施の形態においては、ドア重量を認識するための速度指令を通常開閉とは異なるものとする。この実施の形態の内部構成は、図７に示す実施の形態１の構成に、さらに、図７に破線で示しているような、エレベータのドア重量を認識し最適ドア速度を求めるためのドア速度点検指示信号を出すドア速度点検指示手段３６を設けたものである。他の構成については実施の形態１と同様であるため、ここではその説明を省略するが、ただし、この実施の形態においては、ドア速度指令手段３５は、上述のドア速度点検指示手段３６からのドア速度点検指示信号を受けると、それに応じて、通常時のドア速度指令である第一の速度指令より小さい値の第二の速度指令で運転し、最適ドア速度（Ｖc）を上記実施の形態１と同様の動作により求める。なお、この実施の形態においては、標準ドアデータ記憶手段３３には、トルク指令最大値（Ｔsmax）として第二の速度指令で標準ドアを駆動した時のトルク指令最大値が記憶されている。
【００３５】
動作について説明する。例として、ドア重量を認識するための第二の速度指令値を図２の１ｃで示すような、第一の速度指令である通常時のドア速度指令より小さい値の一定速の速度指令値とする。速度指令値を図２の１ｃにして戸閉動作を行なうと、モータ実速度は図３の２ｃとなり、トルク指令値が図４の３ｃとなる。この場合のトルク指令最大値は図４のＣで示す値であり、トルク指令積算値は図４の３ｃで囲まれた斜線の面積Ｓｃとなる。なお、以降の動作は、上述の実施の形態１及び実施の形態２のいずれかと同様に行って、最適なドア速度を求め、速度指令の変更を行なえばよい。なお、ここでは、速度指令が図２の１ｃに対するトルク指令値と各ドア重量の関係を調査しておく。
【００３６】
以上のように、この実施の形態においては、上述の実施の形態１及び実施の形態２と同様の効果が得られるとともに、さらに、ドア重量を認識する際には、通常開閉とは異なる速度指令値とすることで、様々な速度指令値によるトルク指令値とドア重量の関係を調査しなくとも、ある一つの速度指令値のケースを考えておけば良く、どの様な通常開閉の速度指令値となっても本発明を適用することが可能となる。
【００３７】
実施の形態４．
本発明の他の実施の形態について図５及び図６を用いて説明をする。上述の実施の形態１、２及び３においては、ドア重量を求め、戸閉エネルギーを満足する最適なドア速度を求め、それによる速度指令を出すことについて述べた。また、速度指令値の変更方法として、上述の従来技術に関する説明の中で、戸閉エネルギーに関するドア速度とは平均戸閉速度であり、（２）式にて示されることを説明した。また、走行時間にも上述したような規定があるため、全開及び全閉付近を除く必要がある。
【００３８】
一般に、速度指令を変更する際には、全開及び全閉を含め、全体速度を調整している。しかし、上述した様に、戸閉エネルギーに関する戸閉時間、つまり、戸閉走行時間として全開及び全閉付近を遅くしても意味はなく、全体速度を下げることによりトータルの走行時間を遅くしても、結果として戸閉エネルギーを満足する走行時間となるものの、必要以上に戸閉時間が長くなり、エレベータ全体としては、運転効率が悪くなる。
【００３９】
そこで、速度指令の変更に当っては、図５の区間ｔ１及びｔ２に関する速度指令は現状のままとし、それ以外の速度指令値を変更する。例として、現状の速度指令を図６の１ａとし、それの走行時間を遅くする場合、速度指令値が図６の１ｄで示すような波形になるように変更を行なう。
【００４０】
図９はこの実施の形態におけるエレベータドア制御装置の構成を示した図である。図９において、５１は、エレベータドア駆動手段３０からのエレベータドアの位置を示す位置信号に基づいて、第一の所定位置（全開より２５ｍｍ戸閉したところ）と第二の所定位置（全閉直前の２５ｍｍ手前のところ）及びその間の移動距離（Ｌdc）を測定するドア戸閉位置検出手段（または、移動距離検出手段）であり、５２は、第一の所定位置及び第二の所定位置間の戸閉に要した時間を計測する戸閉時間検出手段（または、時間検出手段）であり、５３は、標準ドア時の速度指令値（Ｖs）、第一の所定位置と第二の所定位置間の標準ドアの戸閉時間（Ｔsdc）およびその間の距離（Ｌs）を記憶している標準ドアデータ記憶手段（または、参照データ記憶手段）、５４は、戸閉時間検出手段５２にて計測した戸閉時間（Ｔdc）と標準ドアデータ記憶手段５３に記憶された標準ドアの戸閉時間（Ｔsdc）により、上述の（２）式を変形させた下記の（２Ａ）式を用いて、最適ドア速度（Ｖc）を演算する最適ドア速度演算手段である。
【００４１】
Ｖc＝Ｖs×（Ｔdc／Ｔsdc）×（Ｌs／Ｌdc） ・・・ （２Ａ）
【００４２】
その結果、全開及び全閉付近を変更しないため、上述した様に必要以上に戸閉時間を下げることなく、最適な平均戸閉速度とすることも容易に可能であり、かつ、戸閉エネルギーを満足する最適な速度指令への変更が可能となる。
【００４３】
【発明の効果】
本発明に係わるエレベータドア制御装置よれば、エレベータドアを駆動させるための駆動手段と、駆動手段に接続され、駆動時のトルク指令値を検出するためのトルク検出手段と、参照データが格納されている参照データ記憶手段と、参照データ記憶手段に格納されている参照データとトルク検出手段により検出されたトルク指令値とにより、最適なドア速度を演算するための第一の最適ドア速度演算手段と、第一の最適ドア速度演算手段により演算されたドア速度に基づいて、駆動手段に速度指令信号を出力するためのドア速度指令手段とを備え、参照データ記憶手段が、標準重量のエレベータドアを駆動させた場合の速度及びトルクに関するデータを格納し、トルク検出手段が、駆動時のトルク指令値を検出するためのトルク指令値検出部と、トルク指令値のうちの最大値を検出するための最大トルク指令値検出部とから構成されて、第一の最適ドア速度演算手段が、参照データ記憶手段に格納された標準重量のエレベータドアを駆動させた場合の速度及びトルクに関するデータとトルク指令値の最大値とに基づいて、据え付けるエレベータのドア重量に対応させた最適なドア速度を演算するようにしたので、トルク指令値によりドア重量を認識し、その結果にもとづき、戸閉時間を変更することで、平均戸閉速度が調整され、戸閉エネルギーの基準値を満足することが可能となり、従来において戸閉エネルギー基準を満足させるために行なっていたドア重量の算出及び現場でのエレベータドア毎の個別の速度調整が不要となり、据え付け調整時間の省力はさることながら、エレベーター利用者の利便性を容易にかつ確実に確保することができるという効果を奏する。また、参照データ記憶手段が、標準重量のエレベータドアを駆動させた場合の速度及びトルクに関するデータを格納するようにしたので、トルクを標準重量の際のデータを比較することにより、そのエレベータドアが標準より重いか軽いかを容易に認識でき、その認識した重量によりエレベータドアの速度調整を行うので、最適なドア速度を容易に求めることができ、最適なドア速度への調整が簡易に行える。また、トルク検出手段が、駆動時のトルク指令値を検出するためのトルク指令値検出部と、トルク指令値のうちの最大値を検出するための最大トルク指令値検出部とから構成されて、第一の最適ドア速度演算手段が、参照データ記憶手段に格納された標準重量のエレベータドアを駆動させた場合の速度及びトルクに関するデータと上記トルク指令値の最大値とに基づいて、据え付けるエレベータのドア重量に対応させた最適なドア速度を演算するようにしたので、参照データと最大値との比較によりエレベータドアの重量を認識するため、簡単な回路構成により、適切な速度を求めることができる。
【００４６】
また、本発明に係わるエレベータドア制御装置によれば、エレベータドアを駆動させるための駆動手段と、駆動手段に接続され、駆動時のトルク指令値を検出するためのトルク検出手段と、参照データが格納されている参照データ記憶手段と、参照データ記憶手段に格納されている参照データとトルク検出手段により検出されたトルク指令値とにより、最適なドア速度を演算するための第一の最適ドア速度演算手段と、第一の最適ドア速度演算手段により演算されたドア速度に基づいて、駆動手段に速度指令信号を出力するためのドア速度指令手段とを備え、参照データ記憶手段が、標準重量のエレベータドアを駆動させた場合の速度及びトルクに関するデータを格納し、トルク検出手段が、駆動時のトルク指令値を検出するためのトルク指令値検出部と、トルク指令値からトルク指令積算値を演算するためのトルク指令積算値演算部とから構成されて、第一の最適ドア速度演算手段が、参照データ記憶手段に格納された標準重量のエレベータドアを駆動させた場合の速度及びトルクに関するデータとトルク指令積算値とに基づいて、据え付けるエレベータのドア重量に対応させた最適なドア速度を演算するようにしたので、トルク指令値によりドア重量を認識し、その結果にもとづき、戸閉時間を変更することで、平均戸閉速度が調整され、戸閉エネルギーの基準値を満足することが可能となり、従来において戸閉エネルギー基準を満足させるために行なっていたドア重量の算出及び現場でのエレベータドア毎の個別の速度調整が不要となり、据え付け調整時間の省力はさることながら、エレベーター利用者の利便性を容易にかつ確実に確保することができるという効果を奏する。また、参照データ記憶手段が、標準重量のエレベータドアを駆動させた場合の速度及びトルクに関するデータを格納するようにしたので、トルクを標準重量の際のデータを比較することにより、そのエレベータドアが標準より重いか軽いかを容易に認識でき、その認識した重量によりエレベータドアの速度調整を行うので、最適なドア速度を容易に求めることができ、最適なドア速度への調整が簡易に行える。また、トルク検出手段が、駆動時のトルク指令値を検出するためのトルク指令値検出部と、トルク指令値からトルク指令積算値を演算するためのトルク指令積算値演算部とから構成されて、第一の最適ドア速度演算手段が、参照データ記憶手段に格納された標準重量のエレベータドアを駆動させた場合の速度及びトルクに関するデータと上記トルク指令積算値とに基づいて、据え付けるエレベータのドア重量に対応させた最適なドア速度を演算するようにしたので、トルク指令の積算結果によりドア重量を判断するようにしたので、ゴミつまり等による瞬時のトルク指令の変化によって誤ってドア重量を認識してしまうことを防止でき、精度の高い安定したドア重量を求めることが可能になり、最適な速度への調整が行え、エレベーター利用者への利便性を容易にかつ確実に確保することができる。
【００４７】
また、エレベータドア据え付け時のエレベータドアの速度調整を行う場合には、ドア速度指令手段が駆動信号に通常動作の場合とは異なる速度指令信号を出力するように、ドア速度指令手段にドア速度点検指示信号を出力するためのドア速度点検指示手段をさらに備えるようにしたので、様々な速度指令値によるトルク指令値とドア重量との関係を予め調査しておく必要はなく、ある一つの速度指令値のケースを考えておけばよく、さらに容易に適切な速度への調整が可能となる。
【図面の簡単な説明】
【図１】  本発明及び従来例におけるエレベータドア制御装置の内部構成を示した回路構成図である。
【図２】  本発明の実施の形態１、２及び３によるエレベータドア制御装置により制御されたエレベータの戸閉動作波形を示した波形図である。
【図３】  本発明の実施の形態１、２及び３によるエレベータドア制御装置により制御されたエレベータの戸閉動作波形を示した波形図である。
【図４】  本発明の実施の形態１、２及び３によるエレベータドア制御装置により制御されたエレベータの戸閉動作波形を示した波形図である。
【図５】  本発明の実施の形態４によるエレベータドア制御装置により制御されたエレベータの戸閉動作波形を示した波形図である。
【図６】  本発明の実施の形態４によるエレベータドア制御装置により制御されたエレベータの戸閉動作波形を示した波形図である。
【図７】  実施の形態１及び３によるエレベータドア制御装置の構成を示した構成図である。
【図８】  実施の形態２によるエレベータドア制御装置の構成を示した構成図である。
【図９】  実施の形態４によるエレベータドア制御装置の構成を示した構成図である。
【符号の説明】
３０  エレベータドア駆動手段、３１  トルク指令値検出手段、３２  最大トルク指令値検出手段、３３  標準ドアデータ記憶手段、３４  最適ドア速度演算手段、３５  ドア速度指令手段、３６  ドア速度測定指令手段、４２  トルク指令積算値演算手段、５１  ドア戸閉位置検出手段、５２  戸閉時間検出手段、５３  標準ドアデータ記憶手段、５４  最適ドア速度演算手段。
【図１】
0003883611.tif 000002
【図２】
0003883611.tif 000003
【図３】
0003883611.tif 000004
【図４】
0003883611.tif 000005
【図５】
0003883611.tif 000006
【図６】
0003883611.tif 000007
【図７】
0003883611.tif 000008
【図８】
0003883611.tif 000009
【図９】
0003883611.tif 000010